(57)【要約】【課題】無線装置をユーザの専用機として取り扱う必要なく、各ユーザを個別に呼び出すことができるようにする技術を提供する。【解決手段】無線装置において、ユーザが所持する無線タグから、該ユーザに固有の識別情報を受信する識別情報受信手段と、識別情報受信手段により識別情報を受信したとき、該受信した識別情報を記憶する記憶手段（ステップ６３）と、無線で受信を行う無線受信手段と、無線受信手段により受信した受信信号において前記識別情報が指定されている場合、該指定された識別情報と、記憶手段に記憶されている最新の識別情報とが一致するか否かを判定する判定手段（ステップ６５）と、判定手段による判定結果に応じ、該判定結果に係る受信信号に関連する出力を許容し又は阻止する出力許否手段（ステップ６５、６６）とを設ける。【選択図】図６
2009232057.tif 000002
【特許請求の範囲】
【請求項１】
ユーザが所持する無線タグから、該ユーザに固有の識別情報を受信する識別情報受信手段と、
前記識別情報受信手段により前記識別情報を受信したとき、該受信した識別情報を記憶する記憶手段と、
無線で受信を行う無線受信手段と、
前記無線受信手段により受信した受信信号において前記識別情報が指定されている場合、該指定された識別情報と、前記記憶手段に記憶されている最新の識別情報とが一致するか否かを判定する判定手段と、
前記判定手段による判定結果に応じ、該判定結果に係る受信信号に基づく出力を許容し又は阻止する出力許否手段とを具備することを特徴とする無線装置。
【請求項２】
前記無線タグは、前記識別情報を定期的に送信する能動型のものであることを特徴とする請求項１に記載の無線装置。
【請求項３】
前記無線タグは、前記識別情報を、前記無線タグにおける所定の操作に応じて送信する能動型のものであることを特徴とする請求項１に記載の無線装置。
【請求項４】
前記無線タグは、前記無線装置における所定の操作に応じて前記識別情報受信手段により前記識別情報が読み取られる受動型のものであることを特徴とする請求項１に記載の無線装置。
【請求項５】
無線装置における無線受信方法であって、
ユーザが所持する無線タグから、該ユーザに固有の識別情報を受信する識別情報受信工程と、
前記識別情報受信工程において前記識別情報を受信したとき、該受信した識別情報を記憶する記憶工程と、
無線で受信を行う無線受信工程と、
前記無線受信工程により受信した受信信号において前記識別情報が指定されている場合、該指定された識別情報と、前記記憶工程により記憶されている最新の識別情報とが一致するか否かを判定する判定工程と、
前記判定工程による判定結果に応じ、該判定結果に係る受信信号に基づく出力を許容し又は阻止する出力許否工程とを具備することを特徴とする無線受信方法。
【発明の詳細な説明】
【技術分野】
【０００１】
本発明は、無線により受信を行う無線装置、及び該無線装置における無線受信方法に関する。
【背景技術】
【０００２】
従来、無線機間におけるグループ呼出し等を可能とするプロトコルとして、フリートシンクという呼出し用のプロトコルが知られている。このプロトコルによれば、各無線機が属するグループを識別するためのグループＩＤ及び各無線機に固有の個別ＩＤが各無線機に割り当てられる。そして、呼出しに際しては、グループＩＤや個別ＩＤを指定することにより、特定の部署に属する者や、個々の相手を個別に呼び出すことができる（たとえば特許文献１参照）。
【０００３】
【特許文献１】特開２００７−８８７９１号公報
【発明の開示】
【発明が解決しようとする課題】
【０００４】
しかしながら、上述従来技術によれば、個別呼出しに使用される識別情報は、各無線機に固有の個別ＩＤであり、その無線機のユーザに固有のものではない。したがって、無線機のユーザが変わった場合には、無線機に登録されている個別ＩＤを、通常、専用ソフトウェアにより変更する必要がある。このため、無線機の個別ＩＤをユーザと対応付けるためには事実上、各無線機は各ユーザの専用機とならざるを得ない。
【０００５】
本発明の目的は、このような従来技術の問題点に鑑み、無線機をユーザの専用機として取り扱う必要なく、各ユーザを個別に呼び出すことができるようにする技術を提供することにある。
【課題を解決するための手段】
【０００６】
この目的を達成するため、第１の発明に係る無線装置は、ユーザが所持する無線タグから、該ユーザに固有の識別情報を受信する識別情報受信手段と、前記識別情報受信手段により前記識別情報を受信したとき、該受信した識別情報を記憶する記憶手段と、無線で受信を行う無線受信手段と、前記無線受信手段により受信した受信信号において前記識別情報が指定されている場合、該指定された識別情報と、前記記憶手段に記憶されている最新の識別情報とが一致するか否かを判定する判定手段と、前記判定手段による判定結果に応じ、該判定結果に係る受信信号に基づく出力を許容し又は阻止する出力許否手段とを具備することを特徴とする。ここで、受信信号に基づく出力としては、呼出し音の出力や、受信信号を復調して得られるメッセージの表示や音声信号の出力が該当する。
【０００７】
この構成において、無線装置は、ユーザが変更された場合には、識別情報受信手段により、変更後のユーザの無線タグから、該ユーザの識別情報を受信し、記憶することができる。つまり無線装置は、常に、それを実際に使用しているユーザの識別情報を保持することができる。そして無線装置は、無線受信手段による受信信号においていずれかのユーザの識別情報が指定されている場合、その識別情報と、記憶手段に記憶されている最新の識別情報とが一致するときにのみ、該受信信号に基づく出力を許容することができる。したがってユーザが、使用する無線装置を変更した場合でも、送信側は、そのユーザの識別情報を指定することにより、そのユーザを呼び出すことができる。
【０００８】
第２の発明に係る無線装置は、第１発明において、前記無線タグは、前記識別情報を定期的に送信する能動型のものであることを特徴とすることを特徴とする。
【０００９】
第３の発明に係る無線装置は、第１発明において、前記無線タグは、前記識別情報を、前記無線タグにおける所定の操作に応じて送信する能動型のものであることを特徴とする。
【００１０】
第４の発明に係る無線装置は、第１発明において、前記無線タグは、前記無線装置における所定の操作に応じて前記識別情報受信手段により前記識別情報が読み取られる受動型のものであることを特徴とする。
【００１１】
第５の発明に係る無線受信方法は、無線装置における無線受信方法であって、ユーザが所持する無線タグから、該ユーザに固有の識別情報を受信する識別情報受信工程と、前記識別情報受信工程において前記識別情報を受信したとき、該受信した識別情報を記憶する記憶工程と、無線で受信を行う無線受信工程と、前記無線受信工程により受信した受信信号において前記識別情報が指定されている場合、該指定された識別情報と、前記記憶手段に記憶されている最新の識別情報とが一致するか否かを判定する判定工程と、前記判定工程による判定結果に応じ、該判定結果に係る受信信号に基づく出力を許容し又は阻止する出力許否工程とを具備することを特徴とする。
【発明の効果】
【００１２】
本発明によれば、ユーザの無線タグからその識別情報を受信して記憶するとともに、無線受信手段により受信した受信信号において識別情報が指定されている場合には、その識別情報と、記憶している最新の識別情報とが一致するか否かに応じて、該受信信号に基づく出力の許否を判定するようにしたため、無線装置をユーザ専用のものとして扱う必要なく、各ユーザを個別に呼び出すことができる。
【発明を実施するための最良の形態】
【００１３】
図１は本発明の一実施形態に係る無線通信システムの構成を示す。同図に示すように、このシステムは、微弱無線（ショートレンジラジオ）ビーコンを送信するアクティブ型のＲＦＩＤタグ１、この微弱無線ビーコンを受信するビーコン受信機２、ビーコン受信機２に接続された移動局無線機３、移動局無線機３との通信を行う他の移動局無線機４を備える。ＲＦＩＤタグ１は移動局無線機３や４の各ユーザが所持し、各ＲＦＩＤタグ１は、それを所持するユーザを識別するための個人ＩＤを、ＩＤビーコンとして定期的に送信するものである。
【００１４】
図２はＲＦＩＤタグ１の構成を示すブロック図である。ＲＦＩＤタグ１は、同図に示すように、搬送波を生成し、ビーコンデータにより変調を行う発振部１１、発振部１１からの変調された搬送波を増幅し、アンテナから出力する電力増幅部１２、発振部１１及び電力制御部１２を制御する中央制御処理部１３、中央制御処理部１３による制御に用いられる制御情報を記憶する制御情報記憶部１４を備える。
【００１５】
制御情報記憶部１４は、送信周波数、送信レベル、送信タイミング、送信内容等の制御情報を記憶する。中央制御処理部１３は、制御情報記憶部１４が記憶している制御情報に基づき、発振部１１における搬送波の周波数、変調等の制御や、電力増幅部１２の出力の制御を行い、サイクリックにビーコンの送信を行う。１サイクルにたとえば３回ずつビーコンの送信が行われる。より確実にビーコンの受信が行われるようにするためである。各回のビーコンデータの内容は同一であり、その内容にはＲＦＩＤタグ１を所持するユーザの個人ＩＤが含まれる。
【００１６】
図３はビーコン受信機２の構成を示すブロック図である。ビーコン受信機２は、同図に示すように、アンテナから入力される受信信号から所定の帯域を抽出する帯域フィルタ２１、抽出された所定帯域の受信信号を増幅する高周波増幅部２２、高周波増幅部２２からの高周波を中間周波に変換し、検波を行う局部発振・検波部２３、検波により得られた低周波信号を増幅する低周波増幅部２４、及び低周波増幅部２４からの信号を処理してビーコンデータを得るとともに、高周波増幅部２２における増幅率の制御や、局部発振・検波部２３における局部発振周波数の制御を行う中央制御処理部２５を備える。
【００１７】
図４は移動局無線機３の構成を示すブロック図である。移動局無線機３は、同図に示すように、無線機本体３１、無線機本体３１を制御する中央制御処理部３２、及び中央制御処理部３２に接続されたビーコン情報記憶部３３を備える。中央制御処理部３２はビーコン受信機２からのビーコンデータを受け取り、該ビーコンデータ中の個人ＩＤを、ビーコン情報記憶部３３に記憶する。記憶された個人ＩＤは、個人ＩＤを指定した呼出しに際して用いられる。
【００１８】
図５は、ビーコン受信機２の中央処理制御部２５による処理を示すフローチャートである。この処理においては、１サイクルで送信される各ビーコンデータのうち、受信できた最後のものがビーコンバッファに残るようにしてそのビーコンデータを取得し、これを移動局無線機３に供給するようにしている。すなわち、処理を開始すると中央処理制御部２５は、まず、ステップ７１においてビーコン受信機２を受信待機状態とし、ステップ７２においてビーコンの受信の有無を判定する。ビーコンを受信したと判定した場合にはステップ７３へ進み、得られたビーコンデータによってビーコンバッファを上書きし、さらにステップ７４において送信待機タイマをリセットして、ステップ７１に戻る。この送信待機タイマは、１サイクルの送信が終了し、そのサイクルについての無線機用データの供給を行うタイミングを判定するために用いられる。
【００１９】
ステップ７２においてビーコンを受信しなかったと判定した場合にはステップ７５へ進み、ビーコンバッファが空であるかどうかを判定する。空であると判定した場合にはステップ７１に戻る。空ではないと判定した場合にはステップ７６へ進み、送信待機タイマがオーバフローしたかどうかを判定する。オーバフローしていないと判定した場合にはステップ７１へ戻る。オーバフローしたと判定した場合には、ステップ７７へ進み、ビーコンバッファの内容を、移動局無線機３に供給する。この後、ステップ７８においてビーコンバッファの内容を破棄し、ステップ７１に戻る。
【００２０】
図６は移動局無線機３における中央制御部３２による処理の一部を示すフローチャートである。受信待機状態において処理を開始すると、ステップ６１において終了と判定されない場合には、ステップ６２へ進み、ビーコン受信機２からのビーコンデータの受信の有無を判定する。このビーコンデータは、図５のステップ７７において供給されるものである。ビーコンデータの受信がないと判定した場合にはステップ６１へ戻る。ビーコンデータの受信があったと判定した場合にはステップ６３へ進み、ビーコンデータ中の個人ＩＤをビーコン情報記憶部３１において上書きして記憶する。
【００２１】
次に、ステップ６４において、個人ＩＤを指定したメッセージを伴う呼出しがあったかどうかを判定する。なお、メッセージ送受用のプロトコルとしては、たとえば、上述のフリートシンクが用いられる。この呼出しがなかったと判定した場合にはステップ６１へ戻る。この呼出しがあったと判定した場合にはステップ６５へ進み、その個人ＩＤと、ビーコン情報記憶部３１に記憶されている個人ＩＤとが一致するかどうかを判定する。一致しないと判定した場合にはステップ６１へ戻る。一致すると判定した場合にはステップ６６へ進み、呼出し音の出力や、引き続く受信信号に基づく音声やメッセージの出力を許容する。これによりユーザは呼出しに対する応答が可能となり、その後の通信を行うことができる。その後ステップ６１へ戻る。ステップ６１において、電源オフ等のために終了と判定された場合には、図６の処理を終了する。
【００２２】
これによれば、移動局無線機３を使用するユーザの個人ＩＤが定期的にビーコン情報記憶部３３において上書きされるので（ステップ６３）、ユーザが変わった場合には、変更後のユーザの個人ＩＤがビーコン情報記憶部３１において記憶されることになる。したがって、移動局無線機３は常に、それを使用中のユーザの個人ＩＤをビーコン情報記憶部３１において有することになる。
【００２３】
この状況において、個人ＩＤを指定したメッセージを伴う呼出しがあった場合、その個人ＩＤと、記憶されている個人ＩＤとが一致するときにのみ、音声やメッセージの出力が行われる（ステップ６４〜６６）。すなわち、その個人ＩＤに対応するユーザが所持する移動局無線機３のみがその呼出しに応答することができる。
【００２４】
本実施形態によれば、移動局無線機３は、常に、それを使用中のユーザの個人ＩＤを保持することができるので、他の移動局無線機４からは、所望のユーザの個人ＩＤを指定して呼出しを行うことにより、そのユーザが使用中の移動局無線機３を呼び出すことができる。つまり、所望のユーザがどの移動局無線機３を使用中であっても、そのユーザを呼び出すことができる。このような個人ＩＤを指定した呼出しは、移動局無線機３や４において、各ユーザとその個人ＩＤとの対応テーブルを保持しておき、呼び出したいユーザの選択を受け入れることにより、容易に行うことができる。
【００２５】
したがって、各移動局無線機３は、従来のように個別ＩＤによるユーザの呼出しを可能にする目的で各ユーザの専用機とする必要はなくなり、各ユーザ間で共用することができる。したがって、日々の始業・終業時における各移動局無線機３の集配やメンテナンス、機種変更による移動局無線機３の入替え作業等を効率的に行うことができる。
【００２６】
また、ビーコン情報記憶部３３として、従来の個別呼出し用の個別ＩＤを記憶している領域の全部又は一部を用いることにより、個別呼出しを、個人ＩＤを指定した呼出しとして行うことができる。つまり、従来の個別呼出しの機能を利用し、移動局無線機に固有の個別ＩＤを指定した呼出しに代えて、ユーザに固有の個人ＩＤを指定した呼出しを行い、そのユーザが現在使用中の移動局無線機３を呼び出すことができる。
【００２７】
また、ビーコン情報記憶部３３として、従来の個別呼出し用の個別ＩＤを記憶する領域以外の領域を用いることにより、個別ＩＤを指定した呼出し、及び個人ＩＤを指定した呼出しを、必要に応じて使い分けることができる。すなわち、無線ネットワーク内に存在する移動局無線機３や４と、ユーザとを別個に管理することができる。それにより、移動局無線機３や４についての設備としての管理を行うこともできる。
【００２８】
なお、本発明は上述の実施形態に限定されることなく、適宜変形して実施することができる。たとえば上述においては、ＲＦＩＤタグ１として、定期的にビーコンを送信するものを用いているが、この代わりに、ボタンの押下等に応じて個人ＩＤを送信するものを用いてもよい。
【００２９】
また、上述においては、ＲＦＩＤタグ１として、能動型のものを用いているが、この代わりに受動型のものを用いるようにしてもよい。この場合、ビーコン受信機２や移動局無線機３におけるボタンの押下等に応じ、ビーコン受信機２により、ＲＦＩＤタグ１の個人ＩＤが読み取られることになる。
【図面の簡単な説明】
【００３０】
【図１】本発明の一実施形態に係る無線通信システムの構成を示す図である。
【図２】図１のシステムにおけるビーコン送信機の構成を示すブロック図である。
【図３】図１のシステムにおけるビーコン受信機の構成を示すブロック図である。
【図４】図１のシステムにおける移動局無線機の構成を示すブロック図である。
【図５】図１のシステムにおけるビーコン受信機の中央処理制御部による処理を示すフローチャートである。
【図６】図１のシステムにおける移動局無線機における中央制御部による処理の一部を示すフローチャートである。
【符号の説明】
【００３１】
１：ＲＦＩＤタグ、２：ビーコン受信機、３：移動局無線機、４：移動局無線機、１１：発振部、１２：電力増幅部、１３：中央制御処理部、１４：制御情報記憶部、２１：帯域フィルタ、２２：高周波増幅部、２３：局部発振・検波部、２４：低周波増幅部、２５：中央制御処理部、３１：無線機本体、３２：中央制御処理部、３３：ビーコン情報記憶部。
【図１】
2009232057.tif 000003
【図２】
2009232057.tif 000004
【図３】
2009232057.tif 000005
【図４】
2009232057.tif 000006
【図５】
2009232057.tif 000007
【図６】
2009232057.tif 000008